(57)【要約】【課題】引き違い戸に取り付けられた引き違い錠に対して、外からの不正な解錠を確実に防止することができる不正解錠防止具を提供することにある。【解決手段】引き違い戸２４に設けた引き違い錠１の不正解錠防止具１９であって、錠ケース２６の前面部２８に対して垂直に突出するネジ軸２０を備え上記の錠ケース２６に固定して取り付ける固定部材３と、固定部材２１のネジ軸２０を挿入する孔３１を有するとともに上記の下降した施錠・解錠操作ツマミ１７の前面１７ａ両側面１７ｂ、または前面１７ａと両側面１７ｂおよび上面１７ｃを覆う不正解錠防止部材２２と、上記のネジ軸２０にねじ合わせて不正解錠防止部材２２を錠ケース２６に押圧固定する押付部材２３とを備えている。【選択図】  図１
2006104828.tif 000002
【特許請求の範囲】
【請求項１】
引き違い戸に設けた引き違い錠の施錠時に、内側の引き戸の縦框に固定した錠ケースの縦開口部を下降した施錠・解錠操作ツマミの上方への不正解錠操作を防止する不正解錠防止具であって、
上記の錠ケースの前面部に対して垂直に突出するネジ軸を備え上記の錠ケースに固定して取り付ける固定部材と、固定部材のネジ軸を挿入する孔を有するとともに上記の下降した施錠・解錠操作ツマミの前面と両側面、または前面と両側面および上面を覆う不正解錠防止部材と、上記のネジ軸にねじ合わせて不正解錠防止部材を錠ケースに押圧固定する押付部材とを備えてなることを特徴とする不正解錠防止具。
【発明の詳細な説明】
【技術分野】
【０００１】
本発明は引き違い錠の不正な解錠を防止する不正解錠防止具に関するものである。
【背景技術】
【０００２】
一般に住宅の玄関等のドアや引き違い戸には、防犯のために必ず錠が取り付けられている。例えば玄関の引き違い戸には、図７に示すような引き違い錠１が、引き違い戸の一方の引き戸２と他方の引き戸３との重なり合う縦框２ａ、３ａの部分に取り付けられている。
【０００３】
上記の引き違い錠１は、ロック機構部４と、鍵穴付きロック操作部５（以下、ロック操作部５という。）とからなる。玄関の内側に配される引き戸２の縦框２ａにはロック機構部４が取り付けられ、外側に配される他方の引き戸３の縦框２ａにはロック操作部５が取り付けられている。
【０００４】
そして玄関の外側の引き戸３に取り付けられたロック操作部５の鍵穴６から鍵（図示せず）を挿入することにより、ロック操作部５の係合軸８（図８参照）は、バネ７の弾発に抗して玄関の内側の引き戸２に取り付けたロック機構部４の係合部９の中に入り、係合軸８の先端の係合端部１０を係合部９内の係合箇所(図示せず)に係合する。
【０００５】
上記した鍵（図示せず）を所定方向に回すことによって、ロック機構部４のケーシング１１内に取り付けた一部歯車状の回転係合部材(図示省略)が回転移動し、ケーシング１１内に上下動可能に取り付けた作動枠部材(図示せず)を降下させる。
【０００６】
この作動枠部材の降下に連動して、ケーシング１１内に取り付けられたフック部（鉤状の止め金）１５は、外側の引き戸３のロック操作部５の係止孔部１４側に突出し、係止板１６に係止した状態になる
【０００７】
また、玄関の内側に位置する施錠・解錠操作ツマミ１７は、上記作動枠部材の降下に連動して降下し、施錠中はロック機構部４の下部近傍に位置している。引き違い錠１は、上述のようにして施錠される。
【０００８】
また、施錠した引き違い錠１を解錠する場合、玄関の外から鍵穴６に鍵（図示せず）を挿入して施錠と逆の方向に回すことにより、フック部１５は、鍵穴付きロック操作部５の係合軸８、ロック機構部４の係合部９内の係合箇所(図示せず)、回転係合部材、作動枠部材等を介してケーシング１１内に引っ込み、ロック操作部５との係止関係を解除する。このようにして引き違い錠１は解錠される。
【０００９】
ところが、引き違い錠１を施錠しておいても空き巣等は、屈曲形成した金属片やピアノ線を両引き戸３の僅かの隙間１８から挿入し、屋内側に少し突出している施錠・解錠操作ツマミ１７に上記金属片やピアノ線の先端部分を引っ掛け、施錠・解錠操作ツマミ１７を引き上げて簡単に解錠し、建物内に侵入してしまう。
【００１０】
【特許文献１】特開２００４−１８３４２０号公報
【特許文献２】特開２００３−２３２１４４号公報
【発明の開示】
【発明が解決しようとする課題】
【００１１】
本発明は上記のような点に鑑みて開発されたものであり、その目的は、引き違い戸に取り付けた引き違い錠に対して、外からの不正な解錠を確実に防止することができる不正解錠防止具を提供することにある。
【課題を解決するための手段】
【００１２】
本発明は、引き違い戸に設けた引き違い錠の施錠時に、内側の引き戸の縦框に固定した錠ケースの縦開口部を下降した施錠・解錠操作ツマミの上方への不正解錠操作を防止する不正解錠具であって、上記の錠ケースの前面部に対して垂直に突出するネジ軸を備え上記の錠ケースに固定して取り付ける固定部材と、固定部材のネジ軸を挿入する孔を有するとともに上記の下降した施錠・解錠操作ツマミの前面と両側面、または前面と両側面および上面を覆う不正解錠防止部材と、上記のネジ軸にねじ合わせて不正解錠防止部材を錠ケースに押圧固定する押付部材とを備えてなることを特徴とする不正解錠防止具である。
【発明の効果】
【００１３】
本発明の不正解錠防止具は、引き違い戸の内側(屋内側)の引き戸に取り付けた既製の引き違い錠の錠ケースに簡単に取り付けることができ、施錠時に錠ケースの縦開口部の下部側に下降した施錠・解錠操作ツマミを、不正解錠防止部材によって施錠・解錠操作ツマミの前面と両側面、または前面と両側面および上面を覆うことができるため、施錠した状態の施錠・解錠操作ツマミに対して外（屋外）から不正解錠金具を使用してその先端部を引っ掛けて引き上げ解錠しようと試みても、引っ掛けることができず解錠することができない。そのため、玄関等の外からの引き違い錠に対する不正な解錠を確実に防止することができ、安心して部屋でくつろいだり就寝したりすることができる。
【発明を実施するための最良の形態】
【００１４】
以下、本発明にかかる不正解錠防止具を図に基いて説明する。
図１〜図６は一例の不正解錠防止具に関する図であって、図示の不正解錠防止具１９は、ネジ軸２０(図５参照)を備えた固定部材２１と、不正解錠防止部材２２(図１参照)と、押付部材２３とからなるものである。
【００１５】
引き違い戸２４に取り付けた引き違い錠１の施錠時に、施錠・解錠操作ツマミ１７は、内側（屋内側）の引き戸２の縦框２ａにネジ２５ａ、２５ｂ(図４参照)で取り付けた錠ケース２６の縦開口部２７(図３参照)内を下降して所定位置で停止しているが、不正解錠防止具１９は引き違い戸２４の外から専用金具を使用してのこの施錠・解錠操作ツマミ１７の上方への不正解錠操作を防止する機能を有している。
【００１６】
より具体的に説明すると、上記のネジ軸２０(図４、図５参照)を備えた固定部材２１は、錠ケース２６を縦框２ａに固定する下側のネジ２５ｂを利用して錠ケース２６の下部側に取り付ける。この例における固定部材２１は、錠ケース２６の縦開口部２７の両側の前面部２８に当接する金属板２９と、ネジ軸２０を垂直に有する金属板３０とからなる。この金属板３０は、不正解錠防止部材２２の内側に係合する大きさであって、金属板２９の上に重ねて錠ケース２６に取り付ける。両金属板２９，３０には、ネジ２５ｂを挿入する孔３１が形成してあり、この孔３１にネジ２５ｂを挿入して、ネジ２５ｂの先端部を錠ケース２６のネジ孔（図示せず）にねじ込んで、重ね合わせた両金属板２９，３０を錠ケース２６の前面部２８の下部側に取り付ける。
【００１７】
上記の不正解錠防止部材２２(図１参照)は、金属板を成形した横断面コ状の所定長さのものであって、錠ケース２６の縦開口部２７から前方に突出し施錠時に降下した施錠・解錠操作ツマミ１７の前面１７ａと、両側面１７ｂとを覆うことができる。また、不正解錠防止部材２２の前面２２ａの下部には、上記のネジ軸２０を通す孔３２(図６参照)が形成してある。この孔３２は、図示のような丸孔でも、或いは縦長孔であってもよい。不正解錠防止部材２２は、上記の孔３２を介してネジ軸２０に吊下げるようにして取り付ける。なお、本発明にかかる不正解錠防止部材２２は、施錠時に降下した施錠・解錠操作ツマミ１７の前面１７ａと、両側面１７ｂ、および上面１７ｃを覆うように形成したものであってもよい。
【００１８】
上記の押付部材２３(図１〜図３参照)は、指で摘んで回すことができる適宜の大きさのツマミであり、上記のネジ軸２０とネジ合うネジ孔（図示せず）が中央に形成されていて、ネジ孔（図示せず）を介してネジ軸２０にネジ込むことにより、不正解錠防止部材２２を錠ケース２６に押し付けて固定することができる。また押付部材２３を反対に回すことによって不正解錠防止部材２２の固定状態を解除することができる。施錠する前は、不正解錠防止部材２２は固定解除された状態である(図３参照)。
【００１９】
上記のような構成からなる不正解錠防止具１９にあっては、例えば玄関の引き違い戸２４に引き違い錠１を取り付けて施錠できるようにしてある場合は、この引き違い戸２４の内側（屋内側）の引き戸２の縦框２ａに錠ケース２６を固定する下部側のネジ２５ｂ(図４参照)を利用して、上記の錠ケース２６の前面部２８に両金属板２９，３０を重ねて取り付ける。この時、ネジ軸２０は前方の垂直方向に突出した状態である。このネジ軸２０を不正解錠防止部材２２の孔３２に通し、ネジ軸２０の先端部側に押付部材２３をねじ付ける。
【００２０】
そして施錠する場合は、錠ケース２６の縦開口部２７の上部側に位置している施錠・解錠操作ツマミ１７を下方に押し下げて施錠し、緩めた状態の押付部材２３によって動かすことができる不正解錠防止部材２２を施錠・解錠操作ツマミ１７に被せ、押付部材２３を回してネジ軸２０にねじ込み、不正解錠防止部材２２を錠ケース２６の前面部２８に固定する。
【００２１】
このようにして不正解錠防止具１９の不正解錠防止部材２２で、錠ケース２６の縦開口部２７から突出している施錠状態の施錠・解錠操作ツマミ１７の前面１７ａと両側面１７ｂ（および上面１７ｃ）を覆うことにより、屋外から不正解除金具(図示せず)を用いて、下降位置にある施錠・解錠操作ツマミ１７に引っ掛けて上に引き上げようと試みても、不正解除金具を施錠・解錠操作ツマミ１７に引っ掛けることができず、解錠を断念せざる終えなくなる。
【００２２】
したがって、不正解錠防止具１９を屋内側の縦框２ａに取り付けた錠ケース２６に取り付けて使用することにより、屋外からの不正な解錠を確実に防止することができる。
【００２３】
なお、本発明にかかる不正解錠防止具は、金属板２９と不正解錠防止部材２２との間にバネ（図示せず）を介在させて錠ケース２６に取り付ける構成のものであってもよい。この場合、バネの弾発により不正解錠防止部材２２は、錠ケース２６と反対方向に常時押圧されて、施錠・解錠操作ツマミ１７から前方に離れた状態になっている。そのため、施錠・解錠操作ツマミ１７を押し下げて施錠する時も不正解錠防止部材２２が邪魔にならない。そして施錠・解錠操作ツマミ１７を押し下げて施錠した後に押付部材２３をねじ込み、バネの弾発に抗して不正解錠防止部材２２を錠ケース２６に押し付けることにより、片手で簡単に不正解錠防止部材２２を錠ケース２６に固定することができる。勿論、この不正解錠防止具も不正解錠防止部材２２で施錠・解錠操作ツマミ１７を覆って屋外からの不正な解錠を確実に防止することができる。
【図面の簡単な説明】
【００２４】
【図１】本発明の不正解錠防止具を使用した状態の説明図である。
【図２】本発明の不正解錠防止具を使用した状態を正面から見た説明図でである。
【図３】本発明にかかる不正解錠防止部材を施錠・解錠操作ツマミに被せる前の状態の説明図である。
【図４】本発明にかかる不正解錠防止部材を外した状態を正面から見た説明図である。
【図５】本発明にかかる不正解錠防止部材を外した状態を側面から見た説明図である。
【図６】本発明にかかる不正解錠防止部材の一例の斜視図である。
【図７】引き違い錠を引き違い戸に設けて施錠した場合の説明図である。
【図８】引き違い錠を引き違い戸に設けて解錠した場合の説明図である。
【符号の説明】
【００２５】
１      引き違い錠
２      引き戸
２ａ    縦框
１７    施錠・解錠操作ツマミ
１７ａ  前面
１７ｂ  側面
１７ｃ  上面
１９    不正解錠防止具
２０    ネジ軸
２１    固定部材
２２    不正解錠防止部材
２３    押付部材
２４    引き違い戸
２６    錠ケース
２７    縦開口部
２８    前面部
３２    孔
【図１】
2006104828.tif 000003
【図２】
2006104828.tif 000004
【図３】
2006104828.tif 000005
【図４】
2006104828.tif 000006
【図５】
2006104828.tif 000007
【図６】
2006104828.tif 000008
【図７】
2006104828.tif 000009
【図８】
2006104828.tif 000010